(57)【特許請求の範囲】
【請求項１】
ロックの配置、特にドアのハンドルに作用する電磁ストッパ手段と、ロックケ−シングを含む電気機械式ロッキングシステムにおいて、
ドアの内側すなわち部屋側に電磁ストッパ手段が配置され、
ドア（１Ａ）の内側のドアハンドル（２）には、１番目の降下管（５）に関連して回転し、特に共通の回転軸（Ｃ１）によって制御される降下管（１０）が取り付けられ、該内側の降下管（１０）は、前記１番目の降下管（５）の突出部（１１）を、適度な許容度を有して収容できる溝（１２，１３）を備え、前記内側の降下管（１０）は、前記許容度に相当する回転の後、溝の側面（１２，１３）と前記１番目の降下管（５）の突出部（１１）との間の接触によって、更に回転する事により降下管（５）と共に動いて、ドアが外側からの開放に対してかんぬきがかかっているかどうかにかかわらず、内側のハンドルでドアを開けることができるように構成されており、
回転シャフト（４）が、前記ロックケ−シング（３）を通ってドアの内側の１番目の降下管（５）の中へ延び、前記１番目の降下管（５）は、降下管（５）のくぼみ（８）の中に適合するロッキングタップ（７）を経て、電気モ−タ（６）の手段によってロック可能であることを特徴とするロックの配置。
【請求項２】
外側のドアハンドル（１）は、ドア（１Ａ）の外側から、ドア（１Ａ）の内側に配置されたストッパ機構（５）の中へ延びる回転シャフト（４）を備え、
内側のドアハンドル（２）は、最初の回転段階の間、ロック及び外側のドアハンドル（１）がドア（１Ａ）を開けるために継続する回転運動で一緒に動かされる前に、前記電磁ストッパ手段のストッピング機能を解除することを特徴とする請求項１に記載のロックの配置。
【請求項３】
ロックの配置、特にドアのハンドルに作用する電磁ストッパ手段と、ロックケ−シングを含む電気機械式ロッキングシステムにおいて、
ドアの内側すなわち部屋側に電磁ストッパ手段が配置され、
内側のドアハンドル（２）は、ロックが作用する前に、作動しない約５〜７度の角度を有し、前記角度はドア（１Ａ）の内側にある前記１番目の降下管（５）の電磁的ストッピングを解除するため、解除手段を通じて解除プレ−ト（９）と用いられ、
ドア（１Ａ）の内側のドアハンドル（２）には、前記１番目の降下管（５）に関連して回転し、特に共通の回転軸（Ｃ１）によって制御される降下管（１０）が取り付けられ、該内側の降下管（１０）は、前記１番目の降下管（５）の突出部（１１）を、適度な許容度を有して収容できる溝（１２，１３）を備え、前記内側の降下管（１０）は、前記許容度に相当する回転の後、溝の側面（１２，１３）と前記１番目の降下管（５）の突出部（１１）との間の接触によって、更に回転する事により降下管（５）と共に動き、
前記降下管（１０）は、突出部を備え、それが、前記解除手段（９）を支持するタップ（１４，１５）であり、電気モ−タ（６）のロッキングタップ（７）を押し上げて解除手段（９）をずらすために配置されていて、降下管（５，１０）両方が回転を解除するためのものであり、
ドアが外側からの開放に対してかんぬきがかかっているかどうかにかかわらず、内側のハンドルでドアを開けることができるように構成されていることを特徴とするロックの配置。
【請求項４】
外側のドアハンドル（１）は、ドア（１Ａ）の外側から、ドア（１Ａ）の内側に配置されたストッパ機構（５）の中へ延びる回転シャフト（４）を備え、
内側のドアハンドル（２）は、最初の回転段階の間、ロック及び外側のドアハンドル（１）がドア（１Ａ）を開けるために継続する回転運動で一緒に動かされる前に、前記電磁ストッパ手段のストッピング機能を解除することを特徴とする請求項３に記載のロックの配置。
【請求項５】
回転シャフト（４）が、前記ロックケ−シング（３）を通ってドアの内側の１番目の降下管（５）の中へ延び、前記１番目の降下管（５）は、降下管（５）のくぼみ（８）の中に適合するロッキングタップ（７）を経て、電気モ−タ（６）の手段によってロック可能であることを特徴とする請求項３または４に記載のロックの配置。
【発明の詳細な説明】
【０００１】
【発明の属する技術分野】
本発明は、ドアのハンドルに作用する電磁ストッパ−手段や、ロックケ−シングから成る、ロックの配置、特に電気機械式ロックシステムに関するものである。
【０００２】
本発明は、ホテルの客室ドアで広く使われているタイプの電気機械式ロックに関するものであるが、他の型のドアでも使われている。このタイプのロックは、ほとんどの場合、電子コ−ドを有する磁気カ−ド、パンチカ−ド、或はメタルキ−などにより操作される。それはまた、従来周知の型の伝統的な金属製のキ−でも操作することができる。このタイプのドアロックは基本的な３つの機能をもっている。
Ａ）ドアを閉めた状態、あるいは開けた状態にしておくフレ−ムに関する物理的ブロッキング
Ｂ）ロックあるいはその操作手段における電磁的ブロッキング／ブロッキング解除
Ｃ）キ−、キ−カ−ド、キ−ボ−ド、または他の同一性を証明する手段の形をとるコ−ド機能本発明は、上記（Ｂ）に述べたように電気機械式ブロッキング機能のうち、位置と機能に関連するものである。
【０００３】
【従来の技術】
今日最も一般的に知られている方法は、ドア内に埋め込まれているロックケ−シング内に上記ブロッキング機能を収納することである。この方法はとりわけ、ノルウエ−特許第152.085 号明細書に開示されている。これは、この目的のために特別に設計されたロックケ−シングを含んでいるが、このロックケ−シングは、必要な電気機械的メカニズムを収容するような比較的大きな物である。この設計は、ドアの持ち主にとっては好ましくないものである。ほとんどの場合、そのようなロックの設置は、一般的なロックの付いた、すでにあるドアに効果をもたらすものであった。すでにあるロックケ−シングを使うには、さら穴を開けることや、他のロックケ−シングの調整をしなくても済むことが必要条件である。本発明は、この問題を取り除くことを目的とする。
【０００４】
機能（Ｂ）に関する他の解決法は、ドアの外側のケ−シング、いわゆるアウタプレ−トに電磁装置を取りつけることである。これは例えば、米国特許第4 671 084 号明細書と第4 148 092 号明細書に開示されている。従来技術の電磁装置は、そのロッキングにより、あるいは操作中または操作していない時の結合手段を持ってくることによって、ドアのハンドルや他の操作手段に影響を及ぼす。解決法の選び方によって、ドアのハンドルは、ロックがしっかりブロックされたままであったり、開けっぱなしのままだったりする。
【０００５】
また、アウタプレ−トに電磁気操作を含むこの解決法に関連して、ユ−ザ−の視点では実質的な欠点がある。アウタプレ−トは通常大きく、例えば米国特許第4 671 087 号明細書に見られるように、ドア上で著しく目立つものであり、これは美的な視点から見ると望ましくない。
【０００６】
この解決法はまた、より破壊されたり、押込まれたりしやすい。例えば、ドアの外側にこの仕組みを持つプレ−トが、アウタプレ−トに小さい穴を開けることで、ブロッキングの仕組みに影響を与え、簡単に操作できてしまうという事実にある。ドアの外側、例えば廊下側は、最も露出された状態であり、それに対して、問題のない仕組みが取られるべきである。第三の問題は、気候上の影響によるものであり、それは、傷つきやすい内側の仕組みを簡単に襲うような降水であり、侵食的な大気である。本発明は、また、そのような欠点を除くことを目的とする。
【０００７】
SE 431 890(Wallander) から、インナプレ−ト内にあって電気的に操作され電気的手段で必ず開く、ストッパ−手段が知られている。しかし、内側からのブロッキングを解除するとき、同時に外側からのロッキングは外されているようなことは、本発明の目的ではない。この従来技術の解決法は、誤った操作、消費電流、操作の可能性に関して好ましくない。SE 431 890では、パニック時の開放機能と言われている事に関しても何も記述していない。パニック時の開放機能も含めたロックは、電気的な力に頼らず（バッテリが使えないものとして）、シングルグリップで、内側から開ける事を可能とすべきである。これは多くの国で標準となっている要求である。
【０００８】
GB 2 089 875-A(Wan-Li Lee)もまた、内側から開ける事に関して電気的に操作するロック構造について述べている。しかし、パニック時の解放機能に関しては考えていない。従って、この従来技術の構造もまた、前記したものと同じ欠点によって困らされている。
【０００９】
GB 2 201 452-A(Hordijk外) は、本発明といくらか関連があるモ−タ駆動ロック装置について開示している。この従来技術の構造は、ドアの内側からの操作でドアが機械的に開くという結果をもたらし、同時に電気モ−タは、その動きと同調する。しかしながら従来技術の構造は、本発明に関わるロック装置を役に立たない物にするように、きびしく制限し、障害となっている。
【００１０】
公共のドア、特にホテルのドアに関して、ある程度長さのあるドアのハンドルで開けられるべきであるとする、ハンデキャップル−ルがある。そして、これを実現する初期の状況から”カリフォルニアスタンダ−ド”と名付けられたものであり、またそれは、丸いノブでもなかった。従来技術の構造が、この要求を満たさない理由は、ドアロックに見られる制限された電流源をもった提案のモ−タが、実際にドアノブを引くことができなく、釣り合いの取れた操作手段に依存しているからである。
【００１１】
GB 2 201 452に開示されている様に、外側からキ−によって操作されたり、あるいは内側からバランスの取れたノブで操作されたりする従来技術のロックセットは、ホテルの客室ドアで使うことはできない。それは、特にこのロックは、エネルギ−制限のあるバッテリ−電源でロックされているホテルの客室ドアに関して、パニック時の開放の要求に見合ってないからである。実際、そのようなバッテリ−は、３つの小さな1.5V電池から成って4.5Vの電圧が与えられている。
【００１２】
従来技術の構造は、ロック自体に加え、関連したロック機構を含むドアハンドル、又はドアノブを要するシリンダ−キ−ノブロックだけから成っている。従来技術であるロック装置は、特別のロックが要求され、そのロックの点において、２つの部分から成っている。つまり外側からキ−を必要とする操作の部分と、内側からノブを必要とする操作の部分であり、それらは互いに妨げることはしない。
【００１３】
EP-0 283 384-A1(Dentin) には、前述したものと同様なロックシステムが開示されていて、同じ欠点や制限を伴っている。それは従来技術のケ−ス内において突出し取りつけられたロックに、すべての機能が組み込まれているように見える。
【００１４】
【発明が解決しようとする課題】
本発明は、ロック、特に電気機械式ロッキングシステムの配置を提供することを目的としたものであり、通常の内蔵されたロックケ−シングにおいて容易に実行できるものである。
【００１５】
また、本発明は、身体障害者の人に有利なドアハンドルやドアノブを含む、ロッキングシステムを提供することを目的としたものである。
【００１６】
更に、本発明は、パニック時の解放機能が容易に実行されるような、電磁ロッキングシステムを提供することを目的としたものである。
【００１７】
更に、本発明は、パニック時の解放機能に対する必要物として、ホテルの客室ドアに備えつけられる電磁ロッキングを提供すること、また、限られた電源でバッテリ−操作できるロックを提供することを目的としたものである。
【００１８】
更に、本発明は、ロックケ−シングを介して、一体型シャフトを使うことができる電磁ロックユニットを提供することを目的としたもので、それは通常ドアハンドルと標準ロックに関連している。
【００１９】
更に、本発明は、通常のドアハンドルの操作がされた時、外側からロックを開けようとする時にかん抜きが掛けられているかどうかにかかわらず、ドアが通常の方法で内側から操作できることを可能にした、電磁ロッキングシステムを提供することを目的としたものである。
【００２０】
【課題を解決するための手段】
上記の目的を解決するために、本発明は、電磁ストッパ手段がドアの内側つまり部屋側に配置されていることを特徴とする。また、ドアが外側から開けられることに対し、そのドアのかんぬきが掛けられているかどうかにかかわらず、内側のドアハンドルでドアを開けられるように構成されている。言い換えれば、本発明はドアの内側に電磁ストッパ機能を配置することを可能にするものである。それは、ドアの今あるロックケ−シングを使えるようにするものであり、また気候上の問題や、この装置のいろいろな破壊を減らすものであり、そしてそれにより安全性を高めるものである。
【００２１】
それと同時に本発明は、たとえ外側のドアハンドルが、閉の位置になっていようが、常に内側からドアハンドルで操作できるような電磁ロッキングシステムを考案したものである。これはほとんどのホテルオ−ナ−から是非ともと要求されるものでる。いわゆるパニック時のオ−プンに関する要求に際して、ドアハンドルは常にドアの内側から操作できるべきであり、すべてのロック機能は、一回の手操作で解除できるものである。要約すると、本発明による原理は、ロックを介してドアの外側へ、そして、ドアの内側のロッキング機構の中へ入って行く、普通のシャフトを持った普通のドアハンドルにより明らかになる。このロッキング機構は、ドアの内側のドアのハンドルに関連している。そして、ロックと外側のドアハンドルがドアを開放するための結合した一連の運動をする前に、ドアのハンドルはロッキングを解放するために最初の回転のため使用される。
【００２２】
【発明の実施の形態】
図１には、本発明によるロック内の配置について第１の実施例が図示されている。そして参照番号１はドア１Ａの外側（廊下側）のドアハンドルを示し、参照番号２はドア１Ａの内側（部屋側）のドアハンドルを示している。参照番号３はロックケ−シングを示し、参照番号４はドアハンドル１，２からロックケ−シング３に力を伝える、好ましくは、断面図が四角形である回転シャフトを示している。図１からわかるように、シャフト４はロックケ−シング３を通り抜けて、ドア１Ａの内側の降下管５に伸びている。この降下管５は、ロッキングタップ７を経て電気モ−タ６の手段によってロックされる。
【００２３】
この機能は、モ−タ−６とロッキングタップ７と降下管５が、ドア１Ａの主表面に見ることができる図３に、より分かりやすく表されている。ドアが閉められてロックされると、モ−タ−６はドア１Ａの外側のハンドル１の回転動作を防ぐために、図３の降下管５のくぼみ８にロッキングタップ７を保持する。しかし前述したように、いわゆるパニック時の開放に際して、ワングリップ操作でいつでもドアを開けることができて、ブロッキングを防ぐことができるように、内側のハンドルは常にロックの操作が可能でなければならない事は必須事項である。この操作は、内部のドアハンドル、すなわちドアの内側のドアハンドルに、ロックが作用する前に約５〜７度のロックケ−シングに対する自由な動きをさせることにより達成できる。ロックを解除する動きにおいて、この自由な動きあるいは作動しない角度が、ドアの内側の降下管５の電磁ブロッキングを解除するために有益である。このブロッキングの解除後には、上述のドアロックの継続的動作は、通常の方法で作用しロックを解除する。
【００２４】
図３において、この操作をするために、ドア１Ａの内側に解除プレ−ト９が装備されている。ドア１Ａの内側のドアハンドル２は、前述した降下管５に関連して回転できる内部降下管１０に取り付けられているが、降下管５は共通の回転軸Ｃ１を有するので径方向に制御される。この内部降下管１０は、ドア１Ａが開放される間、図４で突出部１１が内部降下管１０の側面１２あるいは１３に当たるまで、つまり、降下管５から解除されるある角度まで動く。その後、降下管５と１０の双方は、ロックケ−シングの内部の部品と一緒に更に回転させられることによって動いていく。
【００２５】
更に図４から内部降下管１０は、２つのタップ１４と１５を提供していることがわかり、図３からそれらは、解除プレ−ト９を支持している事が明らかである。ドアハンドル２が回転されると、これらのタップ１４，１５のうち１つが解除プレ−ト９を押し上げ、代わりに電気モ−タ６のロッキングタップ７をくぼみ８から押し上げ、降下管５と１０両方を解除する。
【００２６】
図３には、３番目の降下管１６の形状での、非常時の開放機構が示されている。上記３番目の降下管１６は、ドアを通って廊下側まで伸びる延長部を備え、それはまた、外側から非常時に特別の開放を必要とされれば、ロックシリンダ−と結合するものである。そのような解決法は、電磁システムの非動作に対して、安全性を確保することが求められ、実際のところ電気的に行っているのである。外側の非常時の開放シリンダ−は、通常使われていないので、カモフラ−ジュされる。
【図面の簡単な説明】
【図１】ドア全体、ドアハンドルの中央部、及び関連したロックケ−シングの垂直断面図である。
【図２】ドアハンドルの中央部とロックケ−シングの縦断図である。
【図３】カバ−プレ−トを取り除いたドアの内側の機構を示したものである。
【図４】ドアの内側の機構を概略、図示したものである。
【符号の説明】
１    外側ドアハンドル
２    内側ドアハンドル
１Ａ  ドア
３    ロックケ−シング
４    回転シャフト
５    降下管
６    モ−タ−
７    ロッキングタップ
８    くぼみ
９    解除プレ−ト
１０  内部降下管
１１  突出部
１２，１３  溝の側面
１４，１５  タップ
１６  ３番目降下管
Ｃ１  回転軸
【図１】
0004099803.tif 000002
【図２】
0004099803.tif 000003
【図３】
0004099803.tif 000004
【図４】
0004099803.tif 000005